【手続補正書】
【提出日】平成16年4月13日(2004.4.13)
【手続補正１】
【補正対象書類名】特許請求の範囲
【補正対象項目名】全文
【補正方法】変更
【補正の内容】
【特許請求の範囲】
【請求項１】
ロックウェルＤスケールにおいて３０ＨＲＤよりも大きい一定の硬度を有している生体再造形可能な膠原性組織基質を備えている整形外科装置。
【請求項２】
前記生体再造形可能な膠原性組織基質がロックウェルＤスケールにおいて少なくとも６０ＨＲＤの一定の硬度を有している請求項１に記載の整形外科装置。
【請求項３】
前記生体再造形可能な膠原性組織基質がロックウェルＤスケールにおいて少なくとも７０ＨＲＤの一定の硬度を有している請求項１に記載の整形外科装置。
【請求項４】
前記生体再造形可能な膠原性組織基質が０．５ｇ／ｃｃよりも高い一定の密度を有している請求項１に記載の整形外科装置。
【請求項５】
前記生体再造形可能な膠原性組織基質が０．７ｇ／ｃｃよりも高い一定の密度を有している請求項１に記載の整形外科装置。
【請求項６】
前記装置が、
一定の生体活性物質、
一定の生物学的に誘導されている物質、
一定の生物学的な潤滑剤、
一定の生体相容性のポリマー
一定の生体相容性の無機材料、
種々の細胞、
種々の軟骨細胞、
種々の骨細胞、
種々の滑膜細胞、
前記ロックウェルＤスケールにおいて７０ＨＲＤよりも低い一定の硬度を有している一定の天然に発生する生体再造形可能な膠原性組織基質、
０．７ｇ／ｃｃよりも低い一定の密度を有している一定の天然に発生する生体再造形可能な膠原性組織基質、
一定の不織状の天然に発生する生体再造形可能な膠原性組織基質を含む一定のマット材料、
編み組み状の天然に発生する生体再造形可能な膠原性組織基質、
生体再造形可能な膠原性組織基質を含む一定の発泡体、
生体再造形可能な膠原性組織基質を含む一定の積層体、
生体再造形可能な膠原性組織基質を含む一定の織り状の材料、
一定の生物学的に吸収可能なポリマーの積層体、
一定の生物学的に吸収可能なポリマーの発泡体、
一定の生物学的に吸収可能なポリマーの織り状の材料、および
一定の不織状の生物学的に吸収可能なポリマーを含む一定のマット材料、から成る群から選択される一定の材料を伴う一定の複合体を備えている請求項１に記載の整形外科装置。
【請求項７】
前記装置が、
一定のモノリシック型のヘッド部分および一定の本体部分を備えている一定の整形外科用の鋲、
軟質組織を骨に結合するための一定の固定装置であり、当該装置が軟質組織に係合するように構成されている一定の部分および骨に係合するように構成されている一定の一体の部分を有している構成、
少なくとも２個の離間している突起部分を備えている一定の固定装置であり、前記各突起部分が一定の鋭利化した先端部および一定の基端部を有しており、前記装置がさらに前記突起部分の各基端部を接続する一定の部材を備えている構成、
少なくとも２個の離間している突起部分およびこれら２個の突起部分を接続している一定の一体の部材を備えている一定の固定装置、
骨の中に形成されている一定の開口部の中に一定の骨プラグ部材を固定するための一定の固定装置であり、前記生体再造形可能な膠原性組織基質が前記骨プラグ部材と骨との間にくさび状に詰め込まれるように構成されている構成、
内部に一定の通路を有している一定の本体部分を備えている一定の固定装置であり、前記本体部分が圧縮条件下において内側につぶれるように構成されている構成、
一定の外殻部分および当該外殻部分により囲まれている一定の内側部分を備えており、前記外殻部分が前記ロックウェルＤスケールにおいて５０ＨＲＤよりも高い一定の硬度を有しており、前記内側部分が前記ロックウェルＤスケールにおいて７０ＨＲＤよりも低い一定の硬度を有している構成、および
一定の頂上部分および一定の基底部分を定めるために角度的に分離している一定の上方パネルおよび一定の下方パネルを有している一定のくさび形の本体部分であり、前記各パネルが一定の天然に発生する生体再造形可能な膠原性組織基質により形成されている構成、から成る群から選択される一定の構成を備えている請求項１に記載の整形外科装置。
【請求項８】
前記生体再造形可能な膠原性組織がロックウェル（Rockwell）Ｄスケールにおいて３０ＨＲＤよりも高い一定の硬度を有している天然に発生する細胞外基質の一定の素材を含む請求項１に記載の整形外科装置。
【請求項９】
前記装置が軟質組織に係合するように構成されている一定のヘッド部分および骨に係合および結合するように構成されている一定の本体部分を備えており、これらのヘッド部分および本体部分がモノリシック型であって骨に対する結合を容易にするために剛性および硬質になるように硬化されている前記天然に発生する細胞外基質により形成されている請求項８に記載の整形外科装置。
【請求項１０】
前記本体部分が前記骨の中への侵入を容易にするために前記ヘッド部分から先端側において一定の尖った端部を有している請求項９に記載の装置。
【請求項１１】
前記尖った端部と前記ヘッド部分の間における前記本体部分が半径方向に沿って外側に延出している突起部分を伴って形成されている請求項１０に記載の装置。
【請求項１２】
前記突起部分が前記ヘッド部分に向かって傾斜している請求項１１に記載の装置。
【請求項１３】
前記本体部分が当該本体部分に沿って延在している直径方向に対向している平坦部分を備えており、これらの平坦部分が概ね平行である請求項１２に記載の装置。
【請求項１４】
前記装置が前記ヘッド部分および本体部分を定めるために前記硬化した基質の一定の素材を機械加工することにより形成されている請求項１３に記載の装置。
【請求項１５】
２個の接続した部分を備えており、各部分が前記生体再造形可能な膠原性組織基質を含み、各部分が一定の硬度および一定の密度を有しており、一方の部分がロックウェルＤスケールにおいて５０ＨＲＤ以上の一定の硬度および０．５ｇ／ｃｃよりも高い一定の密度を有しており、別の部分が一定の異なる硬度および一定の異なる密度を有している請求項１に記載の整形外科装置。
【請求項１６】
前記生体再造形可能な膠原性組織が一定の天然に発生する細胞外基質材料であり、前記装置が２個の接続した部分を備えており、各部分が前記天然に発生する細胞外基質材料を含み、各部分が一定の硬度および一定の密度を有しており、一方の部分が前記装置を自然な組織に固定するように構成されていてロックウェルＤスケールにおいて５０ＨＲＤ以上の一定の硬度および０．５ｇ／ｃｃよりも高い一定の密度を有しており、別の部分が一定の異なる構成、一定の異なる硬度および一定の異なる密度を有している請求項１に記載の整形外科装置。
【請求項１７】
前記生体再造形可能な膠原性組織が一定の天然に発生する細胞外基質であり、前記装置が一定の軟骨性の表面における一定の断裂部分を修復するように構成されており、当該装置が前記断裂部分の中に配置されて当該断裂部分に沿って延在するための一定の本体部分を形成するために一体に貼り合わされている前記天然に発生する細胞外基質の複数の部材片、および前記本体部分を断裂部分の中に固定するために当該本体部分に連結している１個以上の鋲を備えており、これらの鋲のそれぞれが前記天然に発生する細胞外基質により形成されている請求項１に記載の装置。
【請求項１８】
前記細胞外基質が硬質および剛性になるように硬化されているＳＩＳである請求項１７に記載の装置。
【請求項１９】
前記生体再造形可能な膠原性組織が一定の天然に発生する細胞外基質であり、前記装置が２個の離間している突起部分を備えており、各突起部分が一定の鋭利化されている先端部および一定の基端部を有しており、さらに前記装置が各突起部分の基端部を接続している一定の部材を備えており、前記突起部分が前記天然に発生する細胞外基質により形成されている請求項１に記載の装置。
【請求項２０】
前記接続部材および前記突起部分が一定の剛性の硬質化したシート状の本体部分を形成するために一体に貼り合わされて硬化されている天然に発生する細胞外基質の複数の層により形成されており、前記突起部分および前記接続部材が前記本体部分から切り出される請求項１９に記載の装置。